(57)【要約】【課題】温度検知手段付被加熱物が複数のうちどの加熱手段に置かれているかを特定すること。【解決手段】第１の被加熱物（温度検知手段付き被加熱物）１に配置され温度を検知する温度検知手段２と、温度検知手段２の検知結果を制御手段８と通信する第１の被加熱物１に設置された被加熱物通信手段３と、被加熱物通信手段３と通信する加熱調理器本体４に設置された加熱調理器通信手段７と、温度検知手段２を使用し第１の被加熱物１を加熱する加熱手段６を制御する自動制御機能と、自動制御機能を使用するための操作表示手段９は複数のうちどの加熱手段６に第１の被加熱物１が設置されているかを設定する設定手段を備え、第１の被加熱物１が任意の加熱手段で使用される場合にも第１の被加熱物１が置かれた加熱手段６を特定して温度検知手段の検知結果を加熱調理器通信手段７に通信することができる。【選択図】図１
2006196208.tif 000002
【特許請求の範囲】
【請求項１】
被加熱物を加熱する複数の加熱手段と、前記加熱手段の出力を制御する制御手段と、第１の被加熱物に配置され温度を検知する温度検知手段と、前記温度検知手段の検知結果を前記制御手段と通信する前記第１の被加熱物に設置された被加熱物通信手段と、前記被加熱物通信手段と通信する加熱調理器本体に設置された加熱調理器通信手段と、前記温度検知手段を使用し前記加熱手段を制御する自動制御機能と、前記自動制御機能を使用するための操作表示手段とを備え、前記操作表示手段は、どの前記加熱手段に前記第１の被加熱物が設置されているかを設定する設定手段を備え、前記第１の被加熱物が任意の前記加熱手段で使用される場合にも、前記温度検知手段の検知結果を前記加熱調理器通信手段に通信することができる加熱調理器。
【請求項２】
被加熱物を加熱する複数の加熱手段と、前記加熱手段の出力を制御する制御手段と、第１の被加熱物に配置され温度を検知する温度検知手段と、前記温度検知手段の検知結果を前記制御手段と通信する前記第１の被加熱物に設置された被加熱物通信手段と、前記被加熱物通信手段と通信する加熱調理器本体に設置された加熱調理器通信手段と、前記温度検知手段を使用し前記加熱手段を制御する自動制御機能と、複数の前記加熱手段それぞれに対応する前記自動制御機能を使用するための複数の操作表示手段とを備え、前記第１の被加熱物が任意の加熱手段で使用される場合にも、前記温度検知手段の検知結果を前記加熱調理器通信手段に通信することができる加熱調理器。
【請求項３】
被加熱物を加熱する複数の加熱手段と、前記加熱手段の出力を制御する制御手段と、第１の被加熱物に配置され温度を検知する温度検知手段と、前記温度検知手段の検知結果を前記制御手段と通信する前記第１の被加熱物に設置された被加熱物通信手段と、前記被加熱物通信手段と通信する加熱調理器本体に設置された加熱調理器通信手段とを備え、前記制御手段は、前記第１の被加熱物がどの加熱手段に置かれているかを検出する温度検知手段付被加熱物検出手段を備え、前記第１の被加熱物が任意の加熱手段で使用される場合にも、前記温度検知手段の検知結果を前記加熱調理器通信手段に通信することができる加熱調理器。
【請求項４】
温度検知手段付被加熱物検出手段は、複数の加熱手段を順番に所定回数、第１の所定時間ＯＮし、第２の所定時間ＯＦＦしたときの温度検知手段の温度変化から第１の被加熱物がどの前記加熱手段に置かれているかを検出する請求項３に記載の加熱調理器。
【請求項５】
加熱調理器通信手段は、第１の被加熱物の底面の中心位置と被加熱物通信手段の中心位置との水平方向の距離を距離Ａとし、複数の加熱手段それぞれの中心位置から距離Ａ離れた点が前記加熱調理器通信手段の垂直方向の直上に来るように加熱調理器本体に設置された請求項１〜４のいずれか１項に記載の加熱調理器。
【請求項６】
温度検知手段を使用し加熱手段を制御する自動制御機能と、前記自動制御機能を使用するための操作表示手段とを備え、使用者が前記自動制御機能をスタートするための操作を行なうと温度検知手段付被加熱物検出手段により第１の被加熱物が置かれている前記加熱手段を検出し、自動制御をスタートする請求項３〜５のいずれか１項に記載の加熱調理器。
【請求項７】
複数の第１の被加熱物が加熱調理器通信手段との通信可能範囲にあるとき自動制御機能が使用できない事を使用者に報知する報知手段を備えた請求項１〜６のいずれか１項に記載の加熱調理器。
【請求項８】
報知手段は、温度検知手段付被加熱物検出手段により、第１の被加熱物が検出されなかった場合に、自動制御機能を使用できないことを報知する請求項７に記載の加熱調理器。
【発明の詳細な説明】
【技術分野】
【０００１】
本発明は、複数の加熱手段を備えた加熱調理器において、温度検知手段と通信手段が配置された被加熱物を使用して自動調理を行なうことができる加熱調理器に関する。
【背景技術】
【０００２】
従来、この種の加熱調理器には、温度検知手段と通信手段が配置された被加熱物と加熱調理器本体に設置された通信手段が被加熱物の温度情報を通信し、その温度情報を使用して自動調理を行なうものがあった（例えば、特許文献１参照）。
【０００３】
図８は、従来の加熱調理器の構成図である。図８において、被加熱物である調理容器１０１は温度検知手段１０２と被加熱物通信手段１０３を備え、調理容器１０１の底面は加熱調理器本体１０４の上部にある調理容器載置部１０５と接している。
【０００４】
調理容器載置部１０５の下部に調理容器１０１を加熱するための加熱手段１０６と被加熱物通信手段１０３と通信するための加熱調理器通信手段１０７があり、制御手段１０８は加熱手段１０６の出力を制御すると共に、調理容器１０１の温度を被加熱物通信手段１０３と加熱調理器通信手段１０７を介し得ることができる。
【０００５】
これにより、制御手段１０８は調理容器１０１の温度を元に加熱手段１０６の出力を制御し、調理容器１０１の温度を制御することができる。
【０００６】
加熱調理器本体１０４は使用者の操作を受け付け、使用者に現在の加熱調理器の状態を表示する操作表示手段１０９と使用者に報知したい内容を報知する報知手段１１０を備えている。
【０００７】
制御手段１０８には調理シーケンスや各種閾値を記憶している記憶手段１１１があり、調理容器１０１の温度を元に記憶手段１１１に記憶された調理シーケンスを実行し、自動調理を行なうことができる。
【特許文献１】特表２００３−５２９１８４号公報
【発明の開示】
【発明が解決しようとする課題】
【０００８】
しかしながら、このような従来の技術では複数の加熱手段を備えた加熱調理器については考えられておらず、使い勝手に課題があった。
【０００９】
本発明は、前記従来の課題を解決するもので、複数の加熱手段を備えた加熱調理器において、温度検知手段と通信手段が配置された被加熱物がどの加熱手段に置かれても前記温度検知手段の検知情報を使用して自動調理を行なうことができる加熱調理器を提供することを目的とする。
【課題を解決するための手段】
【００１０】
前記従来の課題を解決するために、本発明の加熱調理器は、複数の加熱手段を備えた加熱調理器において、温度検知手段付被加熱物がどの加熱手段に置かれているかを使用者の操作あるいは自動（検知手段）で特定することで、任意の加熱手段で被加熱物に配置される温度検知手段の検知情報を使用して自動調理を行なうことができる加熱調理器を提供することができる。
【発明の効果】
【００１１】
本発明の加熱調理器は、複数の加熱手段を備え、どの加熱手段でも温度検知手段付の被加熱物の温度検知結果を使用できるため、加熱調理器の設置場所や使用者の利き手によりそれぞれの加熱手段の使い勝手が異なる場合などでも使用者が使用しやすい加熱手段を選択し温度検知手段付の被加熱物を使用した自動調理を行なうことができる加熱調理器を提供できる。
【発明を実施するための最良の形態】
【００１２】
第１の発明は、被加熱物を加熱する複数の加熱手段と、前記加熱手段の出力を制御する制御手段と、第１の被加熱物に配置され温度を検知する温度検知手段と、前記温度検知手段の検知結果を前記制御手段と通信する前記第１の被加熱物に設置された被加熱物通信手段と、前記被加熱物通信手段と通信する加熱調理器本体に設置された加熱調理器通信手段と、前記温度検知手段を使用し前記加熱手段を制御する自動制御機能と、前記自動制御機能を使用するための操作表示手段とを備え、前記操作表示手段は、どの前記加熱手段に前記第１の被加熱物が設置されているかを設定する設定手段を備え、前記第１の被加熱物が任意の前記加熱手段で使用される場合にも前記温度検知手段の検知結果を前記加熱調理器通信手段に通信することができるように構成するとすることにより、第１の被加熱物が置かれている加熱手段を使用者が選択することで特定し、どの加熱手段でも第１の被加熱物の温度検知結果を使用できるため、加熱調理器の設置場所や使用者の利き手によりそれぞれの加熱手段の使い勝手が異なる場合などでも使用者が使用しやすい加熱手段を選択し第１の被加熱物を使用した自動調理を行なうことができる加熱調理器を提供できる。
【００１３】
第２の発明は、被加熱物を加熱する複数の加熱手段と、前記加熱手段の出力を制御する制御手段と、第１の被加熱物に配置され温度を検知する温度検知手段と、前記温度検知手段の検知結果を前記制御手段と通信する前記第１の被加熱物に設置された被加熱物通信手段と、前記被加熱物通信手段と通信する加熱調理器本体に設置された加熱調理器通信手段と、前記温度検知手段を使用し前記加熱手段を制御する自動制御機能と、複数の前記加熱手段それぞれに対応する前記自動制御機能を使用するための複数の操作表示手段とを備え、前記第１の被加熱物が任意の加熱手段で使用される場合にも、前記温度検知手段の検知結果を前記加熱調理器通信手段に通信することができるように構成するとすることにより、使用者が第１の被加熱物が置かれた加熱手段に対応した操作表示手段を使用することで第１の被加熱物が置かれている加熱手段を特定し、どの加熱手段でも第１の被加熱物の温度検知結果を使用できるため、加熱調理器の設置場所や使用者の利き手によりそれぞれの加熱手段の使い勝手が異なる場合などでも使用者が使用しやすい加熱手段を選択し第１の被加熱物を使用した自動調理を行なうことができる加熱調理器を提供できる。
【００１４】
第３の発明は、被加熱物を加熱する複数の加熱手段と、前記加熱手段の出力を制御する制御手段と、第１の被加熱物に配置され温度を検知する温度検知手段と、前記温度検知手段の検知結果を前記制御手段と通信する前記第１の被加熱物に設置された被加熱物通信手段と、前記被加熱物通信手段と通信する加熱調理器本体に設置された加熱調理器通信手段とを備え、前記制御手段は、前記第１の被加熱物がどの加熱手段に置かれているかを検出する温度検知手段付被加熱物検出手段を備え、前記第１の被加熱物が任意の前記加熱手段で使用される場合にも前記温度検知手段の検知結果を前記加熱調理器通信手段に通信することができるよう構成するとすることにより、使用者に第１の被加熱物を設置した加熱手段を選択するわずらわしさを与えることなく自動で第１の被加熱物が置かれている加熱手段を特定し、自動調理を行なうことができる加熱調理器を提供できる。
【００１５】
第４の発明は、特に、第３の発明の温度検知手段付被加熱物検出手段を、複数の加熱手段を順番に所定回数、第１の所定時間ＯＮし、第２の所定時間ＯＦＦしたときの温度検知手段の温度変化から第１の被加熱物がどの前記加熱手段に置かれているかを検出するように構成するとすることにより、新たな構成部品を増やすことなく第１の被加熱物がどの加熱手段に設置されているかを検出することができ、使用者に第１の被加熱物を設置した加熱手段を選択するわずらわしさを与えることなく自動調理を行なうことができる加熱調理器を提供できる。
【００１６】
第５の発明は、特に、第１〜４のいずれか１つの発明の加熱調理器通信手段を、第１の被加熱物の底面の中心位置と被加熱物通信手段の中心位置との水平方向の距離を距離Ａとし、複数の加熱手段それぞれの中心位置から距離Ａ離れた点が前記加熱調理器通信手段の垂直方向の直上に来るように加熱調理器本体に設置するとすることにより、電磁誘導方式のＲＦＩＤのようにアンテナの直上のみに通信範囲があるような通信手段を使用するときに一つのアンテナで複数の加熱手段で第１の被加熱物を使用することができる加熱調理器を提供できる。
【００１７】
第６の発明は、特に、第３〜５のいずれか１つの発明の加熱調理器に温度検知手段を使用し加熱手段を制御する自動制御機能と、前記自動制御機能を使用するための操作表示手段とを備え、使用者が前記自動制御機能をスタートするための操作を行なうと温度検知手段付被加熱物検出手段により第１の被加熱物が置かれている前記加熱手段を検出し、自動制御をスタートすることにより、使用者が温度検知手段付被加熱物検出手段が設置されている加熱手段を選択するわずらわしさをなくし、間違った加熱手段で自動調理をスタートすることを無くすことができる加熱調理器を提供できる。
【００１８】
第７の発明は、特に、第１〜６のいずれか１つの発明に、複数の第１の被加熱物が加熱調理器通信手段との通信可能範囲にあるとき自動制御機能が使用できない事を使用者に報知する報知手段を備えることにより、複数の第１の被加熱物が加熱調理器通信手段の通信可能範囲にあるときは使用者にその旨を伝え、電磁誘導方式のＲＦＩＤのように加熱調理器通信手段のアンテナの直上のみに通信範囲があるような被加熱物通信手段を使用するときに、複数の鍋取っ手に付けた被加熱物通信手段を同時には使い勝手が悪くなるので使用できないことを報知することができる。
【００１９】
第８の発明は、特に、第７の発明の報知手段を温度検知手段付被加熱物検出手段により、第１の被加熱物が検出されなかった場合に、自動制御機能を使用できないことを報知するように構成するとすることにより、温度検知手段付の被加熱物が正しく加熱手段上に設置されていないことを使用者に伝えることができる。
【００２０】
以下、本発明の実施の形態について、図面を参照しながら説明する。なお、この実施の形態によって本発明が限定されるものではない。
【００２１】
（実施の形態１）
図１は本発明の実施の形態１における加熱調理器の構成図である。本実施の形態では加熱調理器を誘導式加熱調理器として説明する。なお、本実施の形態では加熱調理器を誘導式加熱調理器として説明するが、ガスやハロゲンヒータなどを使用した調理器でも良い。
【００２２】
図１において、第１の被加熱物である調理容器１は温度検知手段２と被加熱物通信手段３を備え、温度検知手段２は調理容器１の底板内部に設置されており、接続線１２により調理容器１の底板内部から取っ手１３内部に設置されている被加熱物通信手段３に接続されている。被加熱物通信手段３と通信を行なうための加熱調理器通信手段７は加熱調理器本体４の上方且つ調理容器載置部５の下部に設置されている。
【００２３】
なお、本実施の形態では温度検知手段２を調理容器１の底板内部に設置しているが、調理容器１の温度を検知できればこれに限られるものではない。また、被加熱物通信手段３は取っ手１３内部に設置しているが、被加熱物通信手段３用に新たな構成部品を用意し調理容器１に取り付けても良い。
【００２４】
本実施の形態では温度検知手段２をＲＴＤセンサで構成し、被加熱物通信手段３を電磁誘導式のＲＦＩＤタグにより構成し、加熱調理器通信手段７はＲＦＩＤアンテナで構成する。ＲＦＩＤアンテナが電磁波を出力するとＲＦＩＤタグで電気エネルギーに変換されＲＦＩＤタグ上のＩＣが動作する。ＲＦＩＤタグはＲＴＤセンサの値を読み取り、温度データを送信する。制御手段８はＲＦＩＤアンテナを制御し、温度データを読み取ることができる。
【００２５】
なお、本実施の形態では温度検知手段２にＲＴＤセンサを用いる構成にて説明を行なうが、サーミスタなど他の温度検知用センサを用いて構成しても良い。また、本実施の形態では通信手段にＲＦＩＤを使用しているが、Ｂｌｕｅｔｏｏｔｈなどの省電力無線を用いても良い。
【００２６】
調理容器載置部５の下部に調理容器１を加熱するための加熱手段６が配置されている。本実施の形態では加熱手段６に加熱コイルを用い、加熱制御手段１４に高周波電流発生回路を用いる。加熱制御手段１４は制御手段８により制御される。
【００２７】
本実施の形態における制御手段８はマイコンを用いて実現する。制御手段８は自動調理を行なうための調理シーケンスなどを記憶する記憶手段１１と時間を計時する計時手段１５を備えている。
【００２８】
操作表示手段９は加熱調理器の操作を行なうためのスイッチと加熱調理器の状態を表示するためのＬＣＤやＬＥＤから構成される。報知手段１０は使用者に加熱調理器の状態を報知するためのものであり、ブザーにより構成される。なお、本実施の形態では報知手段１０をブザーとして説明するが、音声などを報知できるスピーカ、アンプと音声情報から構成するものとしてもよい。
【００２９】
次に、図２を用いて操作表示手段９について詳しく説明する。なお、図１と同じ構成のものは同じ符号を付し、説明を省略する。
【００３０】
図２（ａ）は本実施の形態１における加熱調理器の斜視図である。本実施の形態における加熱調理器は加熱手段６を第１の加熱手段６ａと第２の加熱手段６ｂの二つ備える構成とする。なお、本実施の形態では加熱手段６を２つとして説明するが、加熱手段６の数は２つに限られるものではない。
【００３１】
第１の操作表示手段９ａと第２の操作表示手段９ｂはそれぞれ第１の加熱手段６ａと第２の加熱手段６ｂに対応した操作表示手段９である。図２（ｂ）は第１の操作表示手段９ａの構成図である。なお、第２の操作表示手段９ｂも同じ構成であるので、説明を省略する。
【００３２】
表示手段９ａ１はＬＣＤで構成されており第１の加熱手段６ａの設定を表示する。操作手段９ａ２は入切スイッチであり、加熱手段６ａの出力をＯＮ／ＯＦＦすることができる。
【００３３】
図２（ｃ）は自動制御機能を使用するための第３の操作表示手段９ｃの構成図である。加熱調理器通信手段７はＩＣタグ付のレシピカードの内容を通信して読み取ることができる。自動スイッチ９ｃ２を押すと加熱調理器通信手段７は読み取りモードになり、レシピカードを読み取るために出力をＯＮにする。本実施の形態ではレシピカードを読み取るかまたは自動スイッチが押されてから１０秒間経過するまで出力をＯＮにする。１０秒間経過してもレシピカードが加熱調理器通信手段７に読み取られない場合は出力をＯＦＦにする。
【００３４】
自動スイッチ９ｃ２が押され、レシピカードが読み取られると制御手段８は読み取ったレシピカード内の調理シーケンスを記憶手段１１に記憶し、表示手段９ｃ１の「自動」の右横に読み取ったレシピカードの番号を表示し、加熱手段６を選択するための数字「１，２」とその１、２のうちどちらを選択しているかを示す三角印を表示する。
【００３５】
選択スイッチ９ｃ３により、第１の加熱手段６ａか第２の加熱手段６ｂのどちらに温度検知手段付被加熱物が置かれているかを選択することができる。レシピカードを読み取り、加熱手段６を選択した後、入切スイッチ９ｃ４を押すと自動調理がスタートする。
【００３６】
入切スイッチ９ｃ４が押され自動調理がスタートするときに加熱調理器通信手段７は出力をＯＮにするが、このとき加熱調理器通信手段７が被加熱物通信手段３を複数検知すると自動調理をストップし、表示手段９ｃ１に「エラー１」を表示し、報知手段１０を０．５秒ＯＮ／０．５秒ＯＦＦを５回繰り返し、使用者に複数の被加熱物通信手段３があるために自動調理をスタートできないことを伝える。また、自動調理スタート後にも被加熱物通信手段３を複数検知すると同様のエラー処理を行なう。
【００３７】
なお、本実施の形態では使用者に複数の被加熱物通信手段３があることを伝えるのに０．５秒ＯＮ／０．５秒ＯＦＦを５回繰り返すとしたが上記内容が伝わればこれに限られるものではない。
【００３８】
次に、図３を用いて加熱手段６ａ、９ｂと加熱調理器通信手段７の位置関係を説明する。図３は加熱手段６ａ、９ｂと加熱調理器通信手段７の位置関係を示す図である。加熱手段６ａの中心と加熱調理器通信手段７の重心との距離は加熱手段６ｂの中心と加熱調理器通信手段７の重心との距離と等しくなるように加熱調理器通信手段７を配置する。
【００３９】
なお、調理容器１の中心と加熱手段６ａ、または９ｂの中心を合わせた時どちらの場合でも被加熱物通信手段３の中心点Ｂ２が加熱調理器通信手段７の直上に入るように加熱調理器通信手段７を設置すれば上記条件を満たさなくてもよい。
【００４０】
このように、加熱調理器を構成することで、複数の加熱手段を有する加熱調理器において、温度検知手段付被加熱物（第１の被加熱物）の温度情報を使用した自動調理を行なうことが可能となる。
【００４１】
（実施の形態２）
以下、本実施の形態２について説明する。なお、本実施の形態の基本構成は実施の形態１と同じなので異なる点を中心に説明する。また、実施の形態１と同じ機能については同じ符号を付しその説明は省略する。
【００４２】
次に、図４を用いて操作表示手段９について詳しく説明する。図４（ａ）は本実施の形態における加熱調理器の斜視図である。第１の操作表示手段９ｄと第２の操作表示手段９ｅはそれぞれ第１の加熱手段６ａと第２の加熱手段６ｂに対応した操作表示手段９である。図２（ｂ）は第１の操作表示手段９ｄの構成図である。なお、第２の操作表示手段９ｅも同じ構成であるので説明を省略する。
【００４３】
自動スイッチ９ｄ２を押すと加熱調理器通信手段７は読み取りモードになり、レシピカードを読み取るために出力をＯＮにする。本実施の形態ではレシピカードを読み取るかまたは自動スイッチ９ｄ２が押されてから１０秒間経過するまで出力をＯＮにする。１０秒間経過してもレシピカードが加熱調理器通信手段７に読み取られない場合は出力をＯＦＦにする。
【００４４】
自動スイッチ９ｄ２が押され、レシピカードが読み取られると制御手段８は読み取ったレシピカード内の調理シーケンスを記憶手段１１に記憶し、表示手段９ｄ１の「自動」の右横に読み取ったレシピカードの番号を表示する。レシピカードを読み取ったあと入切スイッチ９ｄ３を押すと自動調理がスタートする。
【００４５】
このように、加熱調理器を構成することで、複数の加熱手段６を有する加熱調理器において、温度検知手段付被加熱物（第１の被加熱物）の温度情報を使用した自動調理を行なうことが可能となる。
【００４６】
（実施の形態３）
以下、本実施の形態３について説明する。なお、本実施の形態の基本構成は実施の形態１と同じなので異なる点を中心に説明する。また、実施の形態１と同じ機能については同じ符号を付しその説明は省略する。
【００４７】
図５、図６を用いて本実施の形態について説明する。図５は本実施の形態の加熱調理器のブロック図である。また、図６は本実施の形態の加熱料理器の斜視図と操作表示手段９の構成図である。
【００４８】
制御手段８は温度検知手段付の被加熱物（第１の被加熱物）がどの加熱手段６に置かれているかを検出する温度検知手段付被加熱物検出手段１６を備えている。図６（ｃ）は自動制御機能を使用するための第３の操作表示手段９ｆである。加熱調理器通信手段７はＩＣタグ付のレシピカードの内容を読み取ることができる。自動スイッチ９ｆ２を押すと加熱調理器通信手段７は読み取りモードになり、レシピカードを読み取るために出力をＯＮにする。本実施の形態ではレシピカードを読み取るかまたは自動スイッチが押されてから１０秒間経過するまで出力をＯＮにする。１０秒間経過してもレシピカードが加熱調理器通信手段７に読み取られない場合は出力をＯＦＦにする。
【００４９】
自動スイッチ９ｆ２が押され、レシピカードが読み取られると制御手段８は読み取ったレシピカード内の調理シーケンスを記憶手段１１に記憶し、表示手段９ｆ１の「自動」の右横に読み取ったレシピカードの番号を表示する。
【００５０】
レシピカードを読み取ったあと入切スイッチ９ｆ３を押すと自動調理をスタートさせる前に温度検知手段付被加熱物検出手段１６は温度検知手段付被加熱物がどの加熱手段６にあるかを検知し、その後検出した加熱手段６を制御し、自動調理をスタートする。
【００５１】
次に、図７を用いて温度検知手段付被加熱物検出手段１６について詳しく説明する。図７は、本実施の形態における温度検知手段付被加熱物検出手段１６により加熱手段６がＯＮ／ＯＦＦされる様子と温度検知手段２の温度変化を表したグラフである。
【００５２】
まず、入切スイッチ９ｆ３が押されると、被加熱物通信手段３と通信を行ない、被加熱物通信手段３内のＩＣに記憶されている被加熱物の情報を読み取る。ここで、温度検知手段付の被加熱物は個々の特性に応じた情報を被加熱物通信手段３内のＩＣに記憶しているものとする。本実施の形態では、温度検知手段付被加熱物検出手段１６にて使用する閾値を保存している。本実施の形態では前記閾値を２℃とする。
【００５３】
次に、加熱手段６ａから順番に温度検知手段付被加熱物を検出する。まず、温度検知手段２の温度を読み取り、記憶手段１１にＴ１として記憶する。次に加熱手段６ａの出力を５秒間ＯＮする。本実施の形態では４００Ｗ出力するものとする。５秒後の温度検知手段２の検知結果を記憶手段１１にＴ２として記憶する。
【００５４】
Ｔ２−Ｔ１を計算し△Ｔを得、最初に被加熱物通信手段３より読み込んだ閾値と比較し、△Ｔが閾値よりも大きければ加熱手段６ａに温度検知手段付被加熱物があると検出する。また、△Ｔが閾値以下であれば同じ動作を加熱手段６ｂについて行なう。
【００５５】
本実施の形態では温度検知手段２を被加熱物である調理容器１の底に配置しており、電磁誘導加熱にて調理容器１の底が加熱されると調理容器１の底が瞬時に加熱され、温度検知手段２の温度が上昇する。調理容器１内に内容物がある場合でも内容物の対流が起こり、内容物の温度変化を温度検知手段２が検知するまでは調理容器１の底の熱伝導により温度検知手段２の温度が上昇するため加熱手段６が加熱を開始するとすぐに温度上昇が起こる。
【００５６】
なお、本実施の形態では加熱手段６の出力を４００Ｗ、加熱手段６のＯＮ時間を５秒、閾値を２℃としたが、調理容器１の底の熱伝導率に応じて、閾値及び加熱手段６の出力を変更する必要がある。また、温度検知手段付被加熱物を検知できれば出力、時間、閾値はこれに限られるものではない。また、本実施の形態では５秒ＯＮのみの制御としたが、より正確に検出するためにＯＮ／ＯＦＦを数回繰り返してもよい。
【００５７】
全ての加熱手段６について温度検知手段付被加熱物検出手段１６により温度検知手段付の被加熱物が見つからなかった場合は被加熱物が正しく加熱手段６の上に設置されていない可能性があるため、自動調理をスタートさせずに、表示手段９ｆ−１に「エラー２」を表示し、報知手段１０を０．５秒ＯＮ／０．５秒ＯＦＦを３回繰り返し、使用者に被加熱物が正しく加熱手段６の上に設置されていないため自動調理をスタートできないことを伝える。
【００５８】
なお、本実施の形態では使用者に被加熱物が正しく加熱手段６の上に設置されていないことを伝えるのに０．５秒ＯＮ／０．５秒ＯＦＦを３回繰り返すとしたが上記内容が伝わればこれに限られるものではない。
【００５９】
このように加熱調理器を構成することで、温度検知手段付被加熱物（第１の被加熱物）がどの加熱手段６に設置されているかを検出することができ、使用者にわずらわしさを与えることなく、且つ異なった加熱手段６を選択されること無く、複数の加熱手段を有する加熱調理器において、任意の加熱手段にて温度検知手段付被加熱物（第１の被加熱物）の温度情報を使用した自動調理を行なうことが可能となる。
【産業上の利用可能性】
【００６０】
本発明に係る加熱調理器は複数の加熱手段を有する加熱調理器において、任意の加熱手段にて温度検知手段付被加熱物の温度情報を使用した自動調理を行なうことができるため、多口の加熱調理器等の用途としては有用である。
【図面の簡単な説明】
【００６１】
【図１】本発明の実施の形態１における加熱調理器の構成図
【図２】（ａ）本発明の実施の形態１における加熱調理器の構成図（ｂ）同操作表示部の構成図（ｃ）同操作表示部の構成図
【図３】本発明の実施の形態１における加熱手段と加熱調理器通信手段の位置関係を示す図
【図４】（ａ）本発明の実施の形態２における加熱調理器の構成図（ｂ）同操作表示部の構成図
【図５】本発明の実施の形態３における加熱調理器の構成図
【図６】（ａ）本発明の実施の形態３における加熱調理器の構成図（ｂ）同操作表示部の構成図（ｃ）同操作表示部の構成図
【図７】本発明の実施の形態３における温度検知手段付被加熱物検出手段による温度変化グラフ
【図８】従来例の構成図
【符号の説明】
【００６２】
１  調理容器（第１の被加熱物）
２  温度検知手段
３  被加熱物通信手段
４  加熱調理器本体
６  加熱手段
７  加熱調理器通信手段
８  制御手段
９  操作表示手段
１０  報知手段
１６  温度検知手段付被加熱物検出手段
【図１】
2006196208.tif 000003
【図２】
2006196208.tif 000004
【図３】
2006196208.tif 000005
【図４】
2006196208.tif 000006
【図５】
2006196208.tif 000007
【図６】
2006196208.tif 000008
【図７】
2006196208.tif 000009
【図８】
2006196208.tif 000010